(57)【要約】【課題】原稿のコピーによる印刷物をコピーした印刷画像における元の原稿からの変化を低減できるインクジェット印刷装置を提供する。【解決手段】入力部３１は、印刷部３でブラックおよびレッドのインクにより印刷された印刷物であって、文字部および線部の周辺にレッドのインクによる色づきが生じている印刷物からなる色づき原稿を、印刷対象の原稿の種類として指定可能であり、制御部６は、色づき原稿が指定された場合、画像読取部４で読み取られた色づき原稿の画像データにおけるブラックおよびレッドのインクにより印刷される文字部および線部に対するレッドのインクの吐出対象領域の幅を削減する。【選択図】図１
2015065617.tif 000002
【特許請求の範囲】
【請求項１】
第１インクを吐出する第１インクジェットヘッド、前記第１インクとは色が異なり第１インクより用紙へのにじみ度合いが大きい第２インクを吐出する第２インクジェットヘッドを有する印刷部と、
印刷対象の原稿の画像を読み取り、原稿の画像データを生成する画像読取部と、
印刷対象の原稿の種類を指定する原稿種類指定部と、
前記画像読取部で読み取られた原稿の画像データに基づき前記印刷部により用紙に印刷を行うよう制御する制御部とを備え、
前記原稿種類指定部は、前記印刷部で前記第１および第２インクにより印刷された印刷物であって、文字部および線部の周辺に前記第２インクによる色づき部分が生じている印刷物からなる色づき原稿を、印刷対象の原稿の種類として指定可能であり、
前記制御部は、前記原稿種類指定部により前記色づき原稿が指定された場合、前記画像読取部で読み取られた前記色づき原稿の画像データにおける前記第１および第２インクにより印刷される文字部および線部に対する前記第２インクの吐出対象領域の幅を削減することを特徴とするインクジェット印刷装置。
【請求項２】
前記制御部は、前記色づき原稿の画像データにおける文字部および線部のうち、前記第２インクの吐出対象領域の幅が閾値以下の部分については、前記第２インクの吐出対象領域の幅を削減する対象から除外することを特徴とする請求項１に記載のインクジェット印刷装置。
【請求項３】
前記原稿種類指定部は、前記色づき原稿を、色づき部分の大きさに応じた複数の種類に分けて指定可能とされ、
前記制御部は、前記原稿種類指定部により指定された前記色づき原稿の種類に応じて、前記第２インクの吐出対象領域の幅を削減する際の削減量を決定することを特徴とする請求項１または２に記載のインクジェット印刷装置。
【請求項４】
前記制御部は、印刷される用紙の種類に応じて、前記第２インクの吐出対象領域の幅を削減する際の削減量を決定することを特徴とする請求項１乃至３のいずれか１項に記載のインクジェット印刷装置。
【発明の詳細な説明】
【技術分野】
【０００１】
本発明は、印刷媒体にインクを吐出して印刷を行うインクジェット印刷装置に関する。
【背景技術】
【０００２】
インクジェットヘッドのノズルからインクの液滴を用紙に吐出して画像を印刷するインクジェット印刷装置が知られている（例えば、特許文献１参照）。
【０００３】
インクジェット印刷装置のなかには、２色のインクをそれぞれ吐出する２つのインクジェットヘッドを有するものがある。この２色インクジェット印刷装置では、２色で擬似的にカラーを再現する。
【先行技術文献】
【特許文献】
【０００４】
【特許文献１】特開平７−１４９０３６号公報
【発明の概要】
【発明が解決しようとする課題】
【０００５】
上述した２色インクジェット印刷装置において、２色のインクで印刷された文字部や線部の周辺が、２色のインクのにじみ度合いの違いにより生じたドット径の差によって、一方の色で色づいて見えることがある。２色のインクの輝度差が大きく、輝度が大きい方のインクがにじみ度合いが大きいほど、このような色づきが目立ちやすい。
【０００６】
ところで、インクジェット印刷装置において、原稿をスキャナで読み取ってコピーして出力した印刷物を、原稿としてスキャナで読み取ってコピーすることがある。ここで、最初のコピーによる印刷物を子コピーとよび、この子コピーを原稿としたコピーによる印刷物を孫コピーとよぶ。
【０００７】
２色インクジェット印刷装置において、上述した色づきが生じている子コピーを原稿としてコピーする場合、文字部や線部の周辺の色づき部分が、スキャナで読み取られることがある。このため、孫コピーの印刷時に色づき部分にインクが吐出されることで、孫コピーが、子コピーより色づき部分が強調されたものとなることがある。この結果、孫コピーの印刷画像が、元の原稿から大きく変化したものになることがある。
【０００８】
本発明は上記に鑑みてなされたもので、原稿のコピーによる印刷物をコピーした印刷画像における元の原稿からの変化を低減できるインクジェット印刷装置を提供することを目的とする。
【課題を解決するための手段】
【０００９】
上記目的を達成するため、本発明に係るインクジェット印刷装置の第１の特徴は、第１インクを吐出する第１インクジェットヘッド、前記第１インクとは色が異なり第１インクより用紙へのにじみ度合いが大きい第２インクを吐出する第２インクジェットヘッドを有する印刷部と、印刷対象の原稿の画像を読み取り、原稿の画像データを生成する画像読取部と、印刷対象の原稿の種類を指定する原稿種類指定部と、前記画像読取部で読み取られた原稿の画像データに基づき前記印刷部により用紙に印刷を行うよう制御する制御部とを備え、前記原稿種類指定部は、前記印刷部で前記第１および第２インクにより印刷された印刷物であって、文字部および線部の周辺に前記第２インクによる色づき部分が生じている印刷物からなる色づき原稿を、印刷対象の原稿の種類として指定可能であり、前記制御部は、前記原稿種類指定部により前記色づき原稿が指定された場合、前記画像読取部で読み取られた前記色づき原稿の画像データにおける前記第１および第２インクにより印刷される文字部および線部に対する前記第２インクの吐出対象領域の幅を削減することにある。
【００１０】
本発明に係るインクジェット印刷装置の第２の特徴は、前記制御部は、前記色づき原稿の画像データにおける文字部および線部のうち、前記第２インクの吐出対象領域の幅が閾値以下の部分については、前記第２インクの吐出対象領域の幅を削減する対象から除外することにある。
【００１１】
本発明に係るインクジェット印刷装置の第３の特徴は、前記原稿種類指定部は、前記色づき原稿を、色づき部分の大きさに応じた複数の種類に分けて指定可能とされ、前記制御部は、前記原稿種類指定部により指定された前記色づき原稿の種類に応じて、前記第２インクの吐出対象領域の幅を削減する際の削減量を決定することにある。
【００１２】
本発明に係るインクジェット印刷装置の第４の特徴は、前記制御部は、印刷される用紙の種類に応じて、前記第２インクの吐出対象領域の幅を削減する際の削減量を決定することにある。
【発明の効果】
【００１３】
本発明に係るインクジェット印刷装置の第１の特徴によれば、制御部は、原稿の種類として色づき原稿が指定された場合、色づき原稿の画像データにおける第１および第２インクにより印刷される文字部および線部に対する第２インクの吐出対象領域の幅を削減する。これにより、色づき原稿における文字部および線部の周辺の色づき部分が印刷画像において拡大することを抑えることができる。この結果、原稿のコピーによる印刷物をコピーした印刷画像における元の原稿からの変化を低減できる。
【００１４】
本発明に係るインクジェット印刷装置の第２の特徴によれば、制御部は、色づき原稿の画像データにおける文字部および線部のうち、第２インクの吐出対象領域の幅が閾値以下の部分については、第２インクの吐出対象領域の幅を削減する対象から除外する。これにより、印刷画像における細線の途切れやかすれを抑えることができる。
【００１５】
本発明に係るインクジェット印刷装置の第３の特徴によれば、制御部は、指定された色づき原稿の種類に応じて、第２インクの吐出対象領域の幅を削減する際の削減量を決定する。これにより、色づき原稿における色づき部分の大きさに応じて適切に削減量を決定できる。
【００１６】
本発明に係るインクジェット印刷装置の第３の特徴によれば、制御部は、印刷される用紙の種類に応じて、第２インクの吐出対象領域の幅を削減する際の削減量を決定する。これにより、印刷される用紙に対するインクのにじみやすさに応じて適切に削減量を決定できる。
【図面の簡単な説明】
【００１７】
【図１】実施の形態に係るインクジェット印刷装置の構成を示すブロック図である。
【図２】搬送部および印刷部の概略構成図である。
【図３】補正テーブルを示す図である。
【図４】色づきの説明図である。
【図５】文字部の周辺の色づき部分を示す図である。
【図６】色づき部分の拡大の説明図である。
【図７】文字部の周辺の拡大した色づき部分を示す図である。
【図８】原稿種類選択画面を示す図である。
【図９】色づき原稿のコピーを行う際の動作を説明するためのフローチャートである。
【図１０】レッド用画像データの画素削減処理の説明図である。
【図１１】レッド用画像データの画素削減処理における細線部分への対処の説明図である。
【発明を実施するための形態】
【００１８】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１９】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２０】
図１は、本発明の実施の形態に係るインクジェット印刷装置の構成を示すブロック図である。図２は、図１に示すインクジェット印刷装置の搬送部および印刷部の概略構成図である。以下の説明において、図２の紙面に直交する方向を前後方向とし、紙面表方向を前方とする。また、図２における紙面の上下左右を上下左右方向とする。
【００２１】
図１に示すように、本実施の形態に係るインクジェット印刷装置１は、搬送部２と、印刷部３と、画像読取部４と、操作パネル部５と、制御部６とを備える。
【００２２】
搬送部２は、用紙Ｐを搬送する。図２に示すように、搬送部２は、搬送ベルト１１と、駆動ローラ１２と、従動ローラ１３，１４，１５とを備える。
【００２３】
搬送ベルト１１は、用紙Ｐを吸着保持して搬送する。搬送ベルト１１は、駆動ローラ１２および従動ローラ１３〜１５に掛け渡される環状のベルトである。搬送ベルト１１には、用紙Ｐを吸着保持するためのベルト穴が多数形成されている。搬送ベルト１１は、ファン（図示せず）の駆動によりベルト穴に発生する吸着力により、上面に用紙Ｐを吸着保持する。搬送ベルト１１は、図２における時計回り方向に回転することで、吸着保持した用紙Ｐを右方向に搬送する。
【００２４】
駆動ローラ１２は、搬送ベルト１１を回転させる。駆動ローラ１２は、図示しないモータにより駆動される。
【００２５】
従動ローラ１３〜１５は、搬送ベルト１１を介して駆動ローラ１２に従動する。従動ローラ１３は、駆動ローラ１２と略同じ高さで、駆動ローラ１２の左側に配置されている。従動ローラ１４，１５は、駆動ローラ１２および従動ローラ１３の下方において、互いに左右方向に離間して、略同じ高さに配置されている。
【００２６】
印刷部３は、搬送部２により搬送される用紙Ｐに画像を印刷する。印刷部３は、インクジェットヘッド２１Ｋ，２１Ｒを備える。
【００２７】
インクジェットヘッド２１Ｋ，２１Ｒは、それぞれブラック（Ｋ）のインク（請求項の第１インクに相当）、レッド（Ｒ）のインク（請求項の第２インクに相当）を吐出する。インクジェットヘッド２１Ｋ，２１Ｒは、搬送部２の上方において、左右方向に並列して配置されている。インクジェットヘッド２１Ｋ，２１Ｒは、それぞれ複数のノズルを有し、ノズルからインクを吐出する。インクジェットヘッド２１Ｋ，２１Ｒにおいて、複数のノズルは、用紙Ｐの搬送方向（左右方向）と直交する方向（前後方向）に所定間隔で配置されている。インクジェットヘッド２１Ｋ，２１Ｒは、１つのノズルから１つの画素に対して吐出するインクの液滴数（ドロップ数）を変えることができ、液滴数により濃度を表現する階調印刷を行う。
【００２８】
ここで、インクジェット印刷装置１で使用する２色のインクにおいては、ブラックのインクよりレッドのインクのほうが、用紙へのにじみ度合いが大きい（にじみやすい）ものである。
【００２９】
画像読取部４は、原稿の画像を光学的に読み取り、原稿の画像データを生成する。画像読取部４は、原稿を照射する光を発する光源、原稿からの反射光を受光して光電変換するＣＣＤイメージセンサ等を有する。
【００３０】
操作パネル部５は、ユーザの入力操作を受け付けるとともに、各種の画面等を表示する。操作パネル部５は、入力部（請求項の原稿種類指定部に相当）３１と、表示部３２とを備える。
【００３１】
入力部３１は、ユーザによる入力操作を受け付け、操作に応じた操作信号を出力する。後述するように、入力部３１は、画像読取部４で原稿を読み取って印刷する際、ユーザ操作に応じて、印刷対象の原稿の種類を指定する。入力部３１は、各種の操作キー、タッチパネル等を有する。
【００３２】
表示部３２は、各種の画面等を表示するものである。表示部３２は、液晶表示パネル等を有する。
【００３３】
制御部６は、インクジェット印刷装置１の各部の動作を制御する。制御部６は、ＣＰＵ、ＲＡＭ、ＲＯＭ、ハードディスク等を備えて構成される。
【００３４】
制御部６は、コピーによる印刷が指示されると、画像読取部４に印刷対象の原稿の画像を読み取らせて画像データを取得し、その原稿の画像データに基づき印刷部３により用紙Ｐに印刷を行うよう制御する。
【００３５】
制御部６は、図３に示す補正テーブル４１を予め記憶している。補正テーブル４１は、コピーする原稿の種類として色づき原稿が指定された場合に参照されるものである。色づき原稿の種類としては、標準色づき原稿と色づき拡大原稿とがある。補正テーブル４１は、標準色づき原稿、色づき拡大原稿のそれぞれについて、用紙種類ごとに、線幅と削減画素数との関係を保持している。
【００３６】
色づき原稿（標準色づき原稿、色づき拡大原稿）については後述する。補正テーブル４１における用紙種類は、印刷される用紙の種類である。線幅は、後述するレッド用画像データの画素削減処理による処理対象の文字部および線部における線幅である。削減画素数は、レッド用画像データの画素削減処理において削減される画素数である。この削減画素数は、文字部および線部における線の幅方向の片側あたりの削減画素数である。
【００３７】
なお、図３に示す補正テーブル４１における線幅、削減画素数の数値は例示であり、これに限定されない。
【００３８】
次に、上述した色づき原稿について説明する。
【００３９】
インクジェット印刷装置１では、カラー印刷を行う場合、ブラック、レッドの２色のインクで印刷する。この際、原稿における黒やグレーの部分も、２色のインクで印刷する。これは、ブラックのドットの隙間をレッドのインクで埋めるためである。前述のように、インクジェット印刷装置１では、ブラックのインクよりレッドのインクのほうが用紙へのにじみ度合いが大きいため、ブラックのドットにレッドのドットを重ねて打つことで、ブラックのドットの隙間をレッドのインクで埋めることができる。これにより、印刷画質の向上を図っている。
【００４０】
ここで、ブラックのインクよりレッドのインクのほうが用紙へのにじみ度合いが大きいため、図４に示すように、同一画素において、にじみのためレッドのドット５１Ｒの方がブラックのドット５１Ｋよりドット径が大きくなることがある。これにより、２色で印刷された文字部および線部の周辺が、レッドで色づいて見えることがある。例えば、図５に示すように、文字部の周辺に色づき部分５２が生じることがある。
【００４１】
上記のように文字部および線部の周辺にレッドの色づき部分が生じている印刷物（子コピー）を原稿としてコピーする場合、画像読取部４により、色づき部分が赤色の領域として読み取られることがある。色づき部分が赤色の領域として読み取られて生成された画像データに基づきそのまま印刷が行われると、図６のように、図４の元の画像の周辺にレッドのドット５１Ｒが打たれる。
【００４２】
この結果、文字部および線部の周辺の色づき部分が拡大する。例えば、図７示すように、文字部の周辺に、図５の色づき部分５２より拡大した色づき部分５３が生じる。
【００４３】
このように、元の原稿をコピーした印刷物である子コピーに色づき部分があると、子コピーを原稿としてコピーした印刷物である孫コピーにおいて、図７のように、色づき部分が拡大することがある。また、孫コピーを原稿としてコピーすれば、さらに色づき部分が拡大するおそれがある。
【００４４】
インクジェット印刷装置１では、文字部および線部の周辺にレッドの色づき部分が生じている子コピー、孫コピーを原稿としてコピーする場合に、色づき部分の拡大を抑えるように印刷する。そのために、インクジェット印刷装置１では、文字部および線部の周辺にレッドの色づき部分が生じている子コピー、孫コピーを、色づき原稿として、コピー時に指定可能な原稿種類に含めている。
【００４５】
すなわち、色づき原稿は、インクジェット印刷装置１の印刷部３で２色のインクにより印刷された印刷物であって、文字部および線部の周辺にレッドのインクによる色づき部分が生じている印刷物からなる原稿である。
【００４６】
前述のように、色づき原稿には、標準色づき原稿と色づき拡大原稿とが含まれる。標準色づき原稿は、色づき部分が比較的小さい原稿であり、例えば子コピーである原稿が該当する。色づき拡大原稿は、色づき部分が比較的大きく拡大した原稿であり、例えば孫コピーである原稿が該当する。
【００４７】
コピーする原稿が、色づき原稿であるか否か、および、標準色づき原稿であるか色づき拡大原稿であるかは、ユーザが判断する。色づき原稿の印刷を行う場合、ユーザが、標準色づき原稿または色づき拡大原稿を、コピーする原稿の種類として選択する操作を入力部３１に対して行う。
【００４８】
原稿種類を選択するための原稿種類選択画面を図８に示す。図８に示す原稿種類選択画面６０は、表示部３２に表示される。原稿種類選択画面６０には、各種の原稿を選択するボタンとともに、標準色づき原稿を選択するための標準色づき原稿選択ボタン６１と、色づき拡大原稿を選択するための色づき拡大原稿選択ボタン６２とが表示される。
【００４９】
次に、インクジェット印刷装置１が色づき原稿のコピーを行う際の動作について説明する。図９は、色づき原稿のコピーを行う際の動作を説明するためのフローチャートである。図９のフローチャートの処理は、原稿種類選択画面６０に対するユーザの操作により標準色づき原稿または色づき拡大原稿が指定された後、印刷開始が指示されることにより開始となる。ここで、印刷に使用する用紙種類も、印刷開始の指示の前に入力部３１に対するユーザ操作により指示される。
【００５０】
なお、色づき部分が生じている子コピーを原稿としてコピーする際に、標準色づき原稿を原稿種類として選択すれば、後述するレッド用画像データの画素削減処理により、色づき部分の拡大が抑えられる。このため、この場合の孫コピーは、子コピーと比較して、色づき部分の拡大は抑えられる。しかし、色づき部分が生じている子コピーを原稿としてコピーする際に、原稿種類として色づき原稿を指定せずにコピーした場合、印刷された孫コピーは、子コピーと比較して、色づき部分が拡大したものになることがある。このように色づき部分が拡大してしまった印刷物を原稿として印刷する場合に、原稿種類として色づき拡大原稿が選択される。
【００５１】
図９のステップＳ１において、制御部６は、画像読取部４に原稿の画像を読み取らせる。画像読取部４には色づき原稿（標準色づき原稿または色づき拡大原稿）である原稿が事前にユーザによりセットされており、画像読取部４は、その原稿の画像を読み取って画像データを生成する。
【００５２】
次いで、ステップＳ２において、制御部６は、画像読取部４で生成された原稿の画像データに対して像域分離を行い、文字部、線部、写真部等の画像領域を判別する。
【００５３】
次いで、ステップＳ３において、制御部６は、原稿の画像データを色分離する。具体的には、制御部６は、原稿の画像データをブラック用画像データとレッド用画像データとに分離する。
【００５４】
次いで、ステップＳ４において、制御部６は、レッド用画像データの画素削減処理を行う。具体的には、制御部６は、像域分離の結果と、ブラック用画像データおよびレッド用画像データとから、ブラックおよびレッドの２色で印刷される文字部および線部を、処理対象の文字部および線部として検出する。そして、制御部６は、補正テーブル４１を参照し、原稿種類、用紙種類、レッド用画像データにおける処理対象の文字部および線部における線幅（画素数）に応じた削減画素数だけ、レッド用画像データにおける処理対象の文字部および線部の画素を削減する。ここで、前述のように、補正テーブル４１の削減画素数は、文字部および線部における線の幅方向の片側あたりの削減画素数である。
【００５５】
例えば、図１０の上段に示すように、レッド用画像データにおける処理対象の文字部または線部の線幅が６画素であるとする。また、原稿種類は標準色づき原稿、用紙種類は普通紙であるとする。
【００５６】
図１０において、１つのマス目が１画素を示す。また、ブラック用画像データにおける黒く塗りつぶされた画素、およびレッド用画像データにおける斜線ハッチングされた画素は、文字部または線部を構成する画素であることを示す。
【００５７】
図１０の例では、補正テーブル４１を参照すると、削減画素数は「１」となる。このため、図１０に示すように、レッド用画像データにおいて、線の両側から１画素ずつ削除される。これにより、レッドのインクの吐出対象領域の幅（線幅）が削減される。色づき原稿の画像データでは、レッド用画像データにおける処理対象の文字部または線部の最も外側の画素は、色づき原稿における文字部または線部の周辺の色づき部分に対応する可能性があると考えられる。このため、レッド用画像データにおいて画素を削除して線幅を狭くすることで、印刷画像における色づき部分が拡大することを抑制できる。なお、図１０に示すように、ブラック用画像データについてはそのままとする。
【００５８】
ここで、補正テーブル４１に示すように、線幅が２画素以下の場合、原稿種類、用紙種類にかかわらず削減画素数は「０」である。すなわち、図１１に示すように、レッド用画像データにおける処理対象の文字部または線部における線幅が２画素以下の部分については、画素の削減は行わない。これは、細線部分では、レッドの画素を削減すると、印刷画像において線が途切れたりかすれたりするおそれがあるからである。なお、文字の書体によっては、文字部の一部が細線になることがある。
【００５９】
また、原稿種類が色づき拡大原稿、用紙種類が普通紙である場合であって、線幅が５画素以上の場合は、削減画素数は「２」である。すなわち、この場合、原稿種類が標準色づき原稿である場合の削減画素数「１」よりも、削減画素数が大きい。色づき拡大原稿では、標準色づき原稿に比べて色づき部分が大きいため、削減画素数を大きくして、印刷画像における色づき部分が縮小されるようにしている。
【００６０】
ただし、原稿種類が色づき拡大原稿である場合でも、線幅が３〜４画素の場合は、線の両側から２画素ずつ削除するとレッドの画素がなくなってしまうため、削減画素数を「１」としている。
【００６１】
また、用紙種類がマット紙である場合は、原稿種類が色づき拡大原稿であって、線幅が５画素以上の場合でも、削減画素数は、用紙種類が普通紙である場合の「２」よりも少ない「１」である。マット紙は普通紙よりもインクがにじみにくく、色づき部分が広がりにくいため、普通紙の場合よりも削減画素数を小さくしている。
【００６２】
図９に戻り、レッド用画像データの画素削減処理の後、ステップＳ５において、制御部６は、ブラック用画像データおよび画素削減処理後のレッド用画像データに基づき、ブラック用のドロップデータおよびレッド用のドロップデータを生成する。ドロップデータは、インクジェットヘッド２１Ｋ，２１Ｒによる印刷に対応する形式の画像データであり、各画素に吐出するインクの液滴数（ドロップ数）を示すデータである。
【００６３】
なお、上述したドロップデータへの変換前のレッド用画像データの画素削減処理を省略し、レッド用のドロップデータに対して画素削減処理を行うようにしてもよい。
【００６４】
ドロップデータを生成すると、ステップＳ６において、制御部６は、印刷を実行する。具体的には、制御部６は、搬送部２の駆動ローラ１２を回転駆動させる。これにより、搬送ベルト１１が回転する。図示しない給紙部から用紙Ｐが給紙されると、用紙Ｐが搬送部２により搬送される。制御部６は、搬送部２により搬送される用紙Ｐに対し、ドロップデータに基づき、インクジェットヘッド２１Ｋ，２１Ｒを駆動させてインクの液滴を吐出させる。これにより、用紙Ｐに画像が印刷される。
【００６５】
以上説明したように、インクジェット印刷装置１では、コピーする原稿の種類として色づき原稿を指定可能である。制御部６は、色づき原稿が指定された場合、２色のインクにより印刷される文字部および線部に対するレッドのインクの吐出対象領域の幅を削減する。具体的には、制御部６は、レッド用画像データの画素削減処理により、レッド用画像データにおける２色で印刷される文字部および線部の画素を削減する。これにより、色づき原稿における文字部および線部の周辺の色づき部分が印刷画像において拡大することを抑えることができる。この結果、原稿のコピーによる印刷物（色づき原稿）をコピーした印刷画像における元の原稿からの変化を低減できる。
【００６６】
また、インクジェット印刷装置１では、制御部６は、レッドのインクの吐出対象領域の幅が閾値以下の部分については、レッドのインクの吐出対象領域の幅を削減する対象から除外する。具体的には、制御部６は、レッド用画像データにおける処理対象の文字部または線部における線幅が２画素以下の部分については、画素の削減は行わない。これにより、印刷画像における細線の途切れやかすれを抑えることができる。
【００６７】
また、インクジェット印刷装置１では、色づき原稿を、標準色づき原稿および色づき拡大原稿の２種類に分けて指定可能である。制御部６は、指定された色づき原稿の種類に応じて、レッドのインクの吐出対象領域の幅を削減する際の削減量を決定する。具体的には、制御部６は、補正テーブル４１を参照し、色づき原稿の種類に応じて削減画素数を決定する。これにより、色づき原稿における色づき部分の大きさに応じて適切に削減量を決定できる。
【００６８】
また、インクジェット印刷装置１では、印刷される用紙の種類に応じて、レッドのインクの吐出対象領域の幅を削減する際の削減量を決定する。具体的には、制御部６は、補正テーブル４１を参照し、用紙種類に応じて削減画素数を決定する。これにより、印刷される用紙に対するインクのにじみやすさに応じて適切に削減量を決定できる。
【００６９】
なお、上記実施の形態では、ブラック、レッドの２色のインクの組み合せの場合について説明したが、インク色の組み合せはこれに限らない。
【００７０】
また、上記実施の形態では、色づき原稿を、標準色づき原稿および色づき拡大原稿の２種類としたが、３種類以上としてもよい。
【００７１】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７２】
１  インクジェット印刷装置
２  搬送部
３  印刷部
４  画像読取部
５  操作パネル部
６  制御部
２１Ｋ，２１Ｒ  インクジェットヘッド
３１  入力部
３２  表示部
４１  補正テーブル
６０  原稿種類選択画面
６１  標準色づき原稿選択ボタン
６２  色づき拡大原稿選択ボタン
【図１】
2015065617.tif 000003
【図２】
2015065617.tif 000004
【図３】
2015065617.tif 000005
【図４】
2015065617.tif 000006
【図５】
2015065617.tif 000007
【図６】
2015065617.tif 000008
【図７】
2015065617.tif 000009
【図８】
2015065617.tif 000010
【図９】
2015065617.tif 000011
【図１０】
2015065617.tif 000012
【図１１】
2015065617.tif 000013